(57)【要約】【課題】ＯＳＤリモコンを備えた映像表示装置において、映像表示装置の周囲にリモコンが無い場合にもユーザーは手動で入力してＯＳＤリモコンを表示させなければならないこと。【解決手段】映像表示装置に無線発信手段、リモコンに無線受信手段を備える。映像表示装置の電源がオンになると映像表示装置はリモコンサーチ信号を発信する。リモコンはリモコンサーチ信号を受信すると、リモコン応答信号を発信する。映像表示装置はリモコン応答信号を受信しなかった場合に、ＯＳＤリモコンを起動する。【選択図】図１
2007295155.tif 000002
【特許請求の範囲】
【請求項１】
映像表示装置を稼動状態に切り換える切換手段と、リモコンサーチ信号を無線送信するリモコンサーチ信号送信手段と、リモコンサーチ信号を受信するとリモコン応答信号を無線送信するリモコンと、リモコン応答信号を受信するリモコン応答信号受信手段と、リモコンと共に選択手段を表示し表示されたリモコン上の選択手段を移動させることで映像表示装置への制御命令を選択するＯＳＤリモコンを表示するＯＳＤリモコン表示手段と、前記切換手段で映像表示装置が稼動状態に切り換ると前記リモコンサーチ信号送信手段にリモコンサーチ信号を送信する制御をし、前記リモコンサーチ信号送信手段がリモコンサーチ信号を送信した後、所定の時間が経過するまでに前記リモコン応答信号受信手段がリモコン応答信号を受信しなければ、前記ＯＳＤリモコン表示手段にＯＳＤリモコンを表示するように制御する制御手段とを備えた映像表示装置。
【請求項２】
前記リモコン応答信号受信手段がリモコン応答信号を受信すると、前記リモコンサーチ信号送信手段はリモコンサーチ信号の送信を停止することを特徴とする請求項１に記載の映像表示装置。
【請求項３】
前記リモコンは位置を報知する報知手段を備えており、前記リモコンがリモコンサーチ信号を受信すると前記報知手段が稼動することを特徴とする請求項１に記載の映像表示装置。
【請求項４】
前記報知手段が稼動している時に前記リモコンを操作すると前記報知手段が停止することを特徴とする請求項３記載の映像表示装置。
【請求項５】
前記ＯＳＤリモコン表示手段はＯＳＤリモコンと共にＥＰＧを表示することを特徴とする請求項１に記載の映像表示装置。
【請求項６】
番組録画予約を記憶する記憶手段を備え、前記切換手段で映像表示装置を稼動状態にした時に放送されている番組であって、前記記憶手段に予約されている番組があれば当該予約番組を表示し、録画予約が無ければＥＰＧを表示することを特徴とする請求項１に記載の映像表示装置。
【請求項７】
前記記憶手段は映像表示装置に接続された外部機器に備えられたことを特徴とする請求項１に記載の映像表示装置。
【請求項８】
前記記憶手段は映像表示装置を制御するリモコンとは異なるリモコンのリモコンコードを記憶しており、記憶したリモコンコードを重畳したリモコン信号を発するリモコンでＯＳＤリモコンを操作することを特徴とする請求項１に記載の映像表示装置。
【発明の詳細な説明】
【技術分野】
【０００１】
本発明は映像表示装置で映像を早急に視聴したい場合に、映像表示装置のリモコンをサーチし、映像表示装置のリモコンがサーチできない場合には、映像表示装置の画面にＯＳＤでリモコンを自動的に表示し、その後映像表示装置本体の操作キーで表示したリモコンを制御する映像表示装置に関するものである。
【背景技術】
【０００２】
近年、ＡＶ機器の多機能化によりＡＶ機器に備え付けられたキーだけでは操作できない機能もあり、リモコンがなければＡＶ機器操作におおきな支障を与えることがある。特に早急に映像表示装置で映像を視聴したい場合に、リモコンを用いなければ所望のチャンネルに変えるだけでも大変手間がかかり、番組の一部を見逃すという課題がある。
【０００３】
上記の課題を解決するため、ＡＶ機器においてリモコンが操作不能な場合にＡＶ機器本体のメニューボタンを押すことで、ＡＶ機器を操作するためのメニュー表示情報及びリモコン表示情報を表示装置にＯＳＤ表示するものがある。
【０００４】
ＯＳＤ表示をするために、映像表示装置は表示するリモコンのビットマップデータなどの画像データを予め記憶しており、あるいは映像表示装置に接続している外部の記憶手段に同様のデータを記憶しており、その記憶した画像データを用いてリモコンのＯＳＤを作成し、表示中の映像信号に作成したＯＳＤを合成することにより、表示手段に表示されている表示映像にリモコンが表示される。
【０００５】
次にＯＳＤ表示がされた場合のユーザーの操作方法について説明する。表示されたリモコン上にはカーソル又はポインタなど、表示されたリモコンのボタンのうちの一つを選択するためのボタン選択手段が表示されている。以下ボタン選択手段は、表示されたリモコンのボタンのうちの一つを囲うことで選択するカーソルとして説明する。表示されたリモコンのボタンのうちの一つが予めカーソルで囲まれている。ユーザーは、映像表示装置のカーソル移動手段を用いてカーソルをとなりのボタンに移動させることができる。例えばカーソル移動手段が上下左右ボタンであれば、上ボタンを押すと現在選択されているボタンの上隣のボタンにカーソルが移動する。上下左右ボタンを選択することで、ユーザーは表示画面上の任意のボタンを選択することができる。ユーザーは所望のボタン上にカーソルを移動させた後、映像表示装置に備え付けられた決定ボタンを押すことにより、通常のリモコン使用時にそのボタンを押したときにする制御と同じ制御命令を実行することができる。
【０００６】
上記のＯＳＤ表示手段を備えた映像表示装置は、例えば特許文献１に記載されている。図１４は前記特許文献１に記載された従来の映像表示装置である。図１４は、デジタル放送受信機６１０に備え付けられている本体ボタン６１１の電源ボタンを押しシステムプログラムを起動した後に，本体ボタン６１１のメニューボタンを押した場合に、オン・スクリーン・ディスプレイＯＳＤ６２１にリモートコントローラを表示していた。
【特許文献１】特開２００４−２０７８７２号公報
【発明の開示】
【発明が解決しようとする課題】
【０００７】
しかしながら、前記特許文献１に記載の発明では、映像表示装置で映像の視聴を早急に行いたい場合であっても、リモコンが操作不能であることまたは周囲にリモコンが無いことをユーザー自らが判断した後に、改めて映像表示装置本体のＯＳＤリモコン表示ボタンを押す必要があった。そのため、ＯＳＤ表示が遅れユーザーは視聴したい番組の一部を見逃すという課題があった。
【０００８】
本発明は上記従来の課題を解決するもので、リモコンが操作不能であったり、映像表示装置の周囲にリモコンがない場合など、ユーザーがリモコンをすぐに使えない状態にあるときには自動でＯＳＤ表示する映像表示装置を提供することにある。
【課題を解決するための手段】
【０００９】
前記従来の課題を解決するために本発明の映像表示装置は、映像表示装置に備え付けられた切換手段により映像表示装置が稼動となると、映像表示装置は電源がオンになったことを報知する無線信号をリモコンに送信し、リモコンは当該無線信号を受信すると、受信したことを知らせる応答信号を無線で返信し、映像表示装置が受信する。そして映像表示装置がリモコン応答信号を受信しなかった場合は、ＯＳＤリモコンを表示する。
【００１０】
本構成により、リモコンが映像表示装置の周囲に有る場合にはＯＳＤリモコンは表示せず、リモコンがない場合、あるいは故障している場合にはＯＳＤリモコンを表示することにより、必要なときのみＯＳＤリモコンを自動で表示するようにしたものである。
【発明の効果】
【００１１】
本発明の映像表示装置によれば、早急に番組を視聴したい場合に、映像表示装置の切換手段で電源をオンにした際にリモコンが映像表示装置からのリモコン信号が送受信できる範囲にない場合には自動的に映像表示装置にＯＳＤ表示がされるので、早急に番組視聴を行いたい場合に素早く操作ができ、ユーザーは視聴したい番組の一部を見逃すことが無くなる。
【発明を実施するための最良の形態】
【００１２】
以下本発明を実施するための最良の形態について、図面を参照しながら説明する。なお、本実施の形態におけるＯＳＤリモコンとは、ＯＳＤで映像表示手段の表示部に表示され、映像表示装置に備え付けられたボタンなどの入力手段で表示されたリモコンのボタンを選択・決定することにより、映像表示装置に対してリモコンと同様の制御命令をすることができる、表示部に表示される仮想リモコンのことである。
【００１３】
（実施の形態１）
図１は本発明の実施の形態１における映像表示装置の構成図である。図２は本発明の実施の形態１における映像表示装置の動作を表すフローチャートである。図３は本発明の実施の形態１における映像表示装置にＯＳＤリモコンが表示された時の概略図である。図４は本発明の実施の形態１における映像表示装置にＯＳＤリモコン消去ボタンを備えたＯＳＤリモコンが表示された時の概略図である。また、図５は本発明の実施の形態１における映像表示装置に、上下左右ボタン及び決定ボタンを持たないＯＳＤリモコンが表示された時の概略図である。
【００１４】
図１において、映像表示装置１０はアンテナ１００、チューナ・復調手段１０１、ＴＳデコーダ１０２、ＭＰＥＧデコーダ１０３、ＣＰＵ１０４、メモリ１０５、ＯＳＤ生成手段１０６，ＯＳＤ合成手段１０７、リモコンサーチ信号送信手段１０９、リモコン応答信号受信手段１１０、ＯＳＤリモコン制御ボタン１１１、電源入力ボタン１１２、及び表示手段１０８を備えている。
【００１５】
まず、各構成要素について説明する。
【００１６】
アンテナ１００は、デジタル放送を受信するアンテナである。
【００１７】
チューナ・復調手段１０１は、アンテナ１００で受信した放送信号をチューニングし、トランスポートストリーム（以下、ＴＳと記す）に変換するチューナ・復調手段である。
【００１８】
ＴＳデコーダ１０２は、チューナ・復調手段１０１から出力されたＴＳをデコードし映像／音声ストリームとして出力するＴＳデコーダである。
【００１９】
ＭＰＥＧデコーダ１０３は、ＴＳデコーダ１０２からの映像ストリームをＭＰＥＧにデコードするＭＰＥＧデコーダである。
【００２０】
ＣＰＵ１０４は、映像表示装置１０の各構成要素を制御する制御手段である。
【００２１】
メモリ１０５は，ＣＰＵのワークメモリや表示用メモリとして使用し、電子機器のプログラムや不揮発データを記憶する記憶手段である。さらに、メモリ１０５はＯＳＤリモコンを作成するためのビットマップ形式のＯＳＤリモコングラフィックデータや、後述するＯＳＤリモコンの作成の可否を決定する閾値となる時間情報を記憶している。
【００２２】
ＯＳＤ生成手段１０６は，ＣＰＵ１０４からＯＳＤリモコンの生成を命令する制御信号を受信すると、メモリ１０５に記憶されているＯＳＤリモコングラフィックデータを読み出し、ＯＳＤリモコンとＯＳＤリモコンのボタンを選択する選択手段であるカーソルのＯＳＤデータを生成する。また後述するＯＳＤリモコン制御ボタン１１１を操作してカーソルが移動したことによりＯＳＤデータを更新する必要ができた場合は、再びＯＳＤデータを作成し表示手段１０８に表示されるＯＳＤリモコンを更新する。
【００２３】
ＯＳＤ合成手段１０７は、ＯＳＤ生成手段１０６の出力をＭＰＥＧデコーダ１０３から出力される映像信号とＯＳＤ生成手段１０６で作成されたＯＳＤデータとを合成して、表示手段１０８に入力する。
【００２４】
表示手段１０８は、ＯＳＤ生成手段１０６にてＯＳＤリモコンなどのＯＳＤデータが合成された映像信号を映像として表示する表示手段である。
【００２５】
電源入力ボタン１１２は、映像表示装置１０の電源を入力して稼動状態に切り換えるための切換手段である。ここで映像表示装置１０が稼動状態であるとは、リモコン１２や映像表示装置１０に備えた操作手段を用いて、映像表示装置１０のボリューム調整などの各種の制御をできる状態であることを言う。したがって、表示手段１０８が映像を表示している状態は言うまでもなく稼動状態であるが、外部入力を表示するチャンネルに設定されているが映像が入力されていないために映像が表示されていない状態（ビデオモードやゲームモードなど）も稼動状態である。また、稼動状態に切り換えるとは、映像表示装置１０の主電源オフ状態（映像表示装置１０のすべての構成要素の電源がオフになっている状態）において主電源を入力した場合だけではなく、映像表示装置１０の一部のみに電力が供給されている場合であって上記稼動状態に無い場合（スタンバイ状態など）に、映像表示装置１０の操作手段のリモコン１２による電源入力に基づく稼動状態への切換など、表示手段１０８に映像が表示できない状態から映像表示状態へ切り換えるものはすべて含む。
【００２６】
リモコンサーチ信号送信手段１０９は、ＣＰＵ１０４の指令によりリモコンサーチ信号を無線送信するリモコンサーチ信号送信手段である。ここでリモコンサーチ信号について説明する。リモコンサーチ信号は映像表示装置１０に備えられたリモコンサーチ信号送信手段１０９から送信される無線信号であり、予め定められた周波数を持つ搬送波にリモコンサーチ信号であることを表すリモコンコードを重畳した無線信号である。
【００２７】
リモコンサーチ信号の搬送波の周波数はリモコン１２のリモコンサーチ信号受信手段１２０が受信可能な周波数であれば、どのような周波数でも可能である。リモコン１２はリモコンサーチ信号受信手段１２０でリモコンサーチ信号を受信すると、リモコンサーチ信号からリモコンコードを抽出し、リモコン１２に予め記憶しているリモコンコード表（図示せず）と比較することで、受信した無線信号がリモコンサーチ信号であることを認識する。また一般にリモコンコードとは、所定の搬送波のリモコン信号に重畳される制御コードであって、リモコン信号を受信する機器はリモコンコードの制御命令に基づき、各種制御がされる。
【００２８】
リモコン応答信号受信手段１１０は、リモコン１２から無線送信されたリモコン応答信号を受信するリモコン応答信号受信手段である。リモコン応答信号の詳細については後述する。
【００２９】
ＯＳＤリモコン制御ボタン１１１は、ＯＳＤリモコン上に表示されているカーソルの移動し、当該カーソルの内容を実行するＯＳＤリモコン制御手段である。本実施の形態では図３に示すように、上下左右ボタンと決定ボタンで構成される。
【００３０】
次に、リモコン１２の構成について説明する。
【００３１】
リモコン１２はリモコンサーチ信号受信手段１２０、リモコン応答信号送信手段１２１及びリモコン制御手段１２２を備えている。
【００３２】
リモコンサーチ信号受信手段１２０は、リモコンサーチ信号送信手段１０９から無線送信されたリモコンサーチ信号を受信する。
【００３３】
リモコン応答信号送信手段１２１は、リモコン応答信号を無線送信する。ここでリモコン応答信号について説明する。リモコン応答信号はリモコン１２に備えられたリモコン応答信号送信手段１２１から送信される無線信号であり、予め定められた周波数を持つ搬送波にリモコン応答信号であることを表すリモコンコードを重畳した無線信号である。リモコン応答信号の搬送波の周波数は映像表示手段１０のリモコン応答信号受信手段１１０が受信可能な周波数であれば、どのような周波数でも可能である。映像表示装置１０はリモコン応答信号受信手段１１０でリモコン応答信号を受信すると、リモコン応答信号からリモコンコードを抽出し、ＣＰＵ１０４がメモリ１０５に予め記憶しているリモコンコード表（図示せず）と比較することで、受信した無線信号がリモコン応答信号であることを認識する。
【００３４】
リモコン制御手段１２２は、リモコンサーチ信号受信手段１２０が映像表示装置１０のリモコンサーチ信号送受信手段１０６から送信されるリモコンサーチ信号を受信したことを認識すると、リモコン応答信号送信手段１２１からリモコン応答信号を無線送信するように制御する。
【００３５】
次に、本発明の実施の形態１における映像表示装置１０の動作について図２のフローチャートを用いて説明する。
【００３６】
まず、映像表示装置１０の周囲にリモコン１２が存在し、映像表示装置１０とリモコン１２が互いに無線信号の送受信をできる場合の動作について説明する。
【００３７】
電源入力ボタン１１２がオンになると（Ｓ１０１，Ｓ１０２）、ＣＰＵ１０４は電源入力ボタン１１２がオンになったことを検知し、リモコンサーチ信号送信手段１０９に対してリモコンサーチ信号を無線送信するように命令する。リモコンサーチ信号送信手段１０９はリモコンサーチ信号を無線送信する（Ｓ１０３）。リモコン１２のリモコンサーチ信号受信部１２０がリモコンサーチ信号を受信するとリモコン制御手段１２２がリモコンサーチ信号の受信を検知し、リモコン応答送信信号手段１０２にリモコン応答信号を無線送信するように命令する。リモコン応答信号送信手段１２１はリモコン応答信号を無線送信する。一方、映像表示装置１０はリモコンサーチ送信信号送信手段１０９がリモコンサーチ信号を送信した後、メモリ１０５に記憶されている閾値となる時間が経過する（Ｓ１０４）までにリモコン応答信号受信手段１１０がリモコン応答信号を受信する（Ｓ１０５）と、ＣＰＵ１０４はＯＳＤリモコン生成手段１０６にＯＳＤリモコンを作成する制御命令を入力しないので、ＯＳＤ生成手段１０６ではＯＳＤリモコンは作成されず（Ｓ１０６）、ＯＳＤリモコンがＯＳＤ合成手段１０７に入力されないので、ＯＳＤ合成手段１０７は入力された映像信号をそのまま、またはチャンネル情報などＯＳＤリモコン画像を持たないＯＳＤデータと合成され、表示手段１０８に表示する（Ｓ１０７、Ｓ１０８）。
【００３８】
一方、映像表示装置１０の周囲にリモコン１２が存在しない場合など、映像表示装置１０とリモコン１２が互いに無線信号の送受信をできない場合について説明する。電源入力ボタン１１２を押してから、リモコンサーチ信号送信手段１０９がリモコンサーチ信号を送信するまでの動作は上記と同じであるので省略する。リモコンサーチ信号送信手段１０９からはリモコンサーチ信号が無線送信される（Ｓ１０３）。しかし、メモリ１０５に記憶されている閾値となる時間が経過（Ｓ１０４）してもリモコン応答信号受信手段１１０はリモコン応答信号を受信しないので（Ｓ１０５）、ＣＰＵ１０４はＯＳＤ生成手段１０６に対してＯＳＤリモコンの生成を命令する制御信号を入力する。するとＯＳＤ生成手段１０６はＯＳＤリモコンを含むＯＳＤデータを作成し（Ｓ１０９）、ＯＳＤ合成手段１０７に入力する。ＯＳＤ合成手段１０７では、映像信号とＯＳＤリモコンを含むＯＳＤ画像が合成され（Ｓ１１０）、表示手段１０８へ出力する。すると、図３のように表示手段１０８にはＯＳＤリモコンと映像信号を合成した映像が表示される（Ｓ１０６、Ｓ１０７）。
【００３９】
ＯＳＤリモコンが表示されると、ユーザーはＯＳＤリモコン制御ボタン１１１の上下左右ボタンでＯＳＤリモコン上のカーソルを移動し、ＯＳＤリモコンのボタンを選択する。その後、ＯＳＤリモコン制御ボタン１１１の決定ボタンを押すことにより、選択したボタンで実行される制御命令を実行する。本実施の形態ではリモコン１２の形状がそのままＯＳＤリモコンとして表示されているので、ＯＳＤリモコンを用いればリモコン１２で可能な制御命令のすべてを実行することができる。ここで、制御命令とはボリューム調整やチャンネル選択など映像表示装置１０の動作を規定するために、リモコンや映像表示装置に備えられた操作手段など、映像表示装置の外部から入力される制御命令のことである。
【００４０】
かかる構成によると、映像表示装置１０に備え付けてある電源入力ボタン１１２で映像表示装置１０の電源をオンにした場合に、映像表示装置１０の周囲にリモコン１２があるか否かを自動的に判断し、リモコン１２が映像表示装置１０の周囲に無い場合は表示手段１０８にＯＳＤリモコンを表示し、リモコン１２が周囲にある場合はＯＳＤリモコンを表示しない。つまり、機器を操作するときにＯＳＤリモコンを表示させることが必要なときにＯＳＤリモコンを自動で表示するので、ＯＳＤリモコンが必要なときにＯＳＤリモコンを表示させるためにボタンを押す必要が無くなる。
【００４１】
そのため、電源オン時に映像表示装置の周囲にリモコンがない場合にも表示手段１０８に表示されたＯＳＤリモコンを用いてすぐに操作ができるので、ユーザーは早急に番組視聴を行いたい場合に番組を見逃すことなくすぐに視聴することができる。
【００４２】
なお、本発明の実施の形態１の図３ではＯＳＤリモコンにはリモコン１２と同一の構造のものを記載したがそれに限るものではなく、リモコン１２に搭載されているボタン以外に新たな機能を持たせたボタンを備えさせることも可能である。例えば、図４のようにＯＳＤリモコンに新たにＯＳＤリモコンオフボタン１３０を加えることも可能である。この場合、ＯＳＤリモコンで必要とされるリモコン操作をした後に、ＯＳＤリモコンオフボタン１３０によりＯＳＤリモコンを消すことができ、ＯＳＤリモコンにより一部の映像が見えなくなるという課題を解決することができる。
【００４３】
また、本実施の形態ではＯＳＤリモコン制御手段としてＯＳＤリモコン制御ボタン１１１を用い、映像表示装置を稼動状態に切り換える切換手段として電源入力ボタン１１２を用いたが、両者はボタン以外の構成でもよい。具体的には、タッチパネルやジョグダイヤルなどでもよい。
【００４４】
また、本実施の形態ではＯＳＤリモコン制御ボタン１１１はＯＳＤリモコンを操作するものとして説明したがそれに限るものではなく、ＥＰＧ選択や各種パラメータの設定など他の制御命令の入力手段として使用してもよいことは言うまでも無い。
【００４５】
また、ＯＳＤリモコン制御ボタン１１１は、少なくともＯＳＤリモコンのボタンを選択して決定するために、上下左右ボタンなどのカーソル移動ボタン、及び決定ボタンを備えている。したがって、図５のようにリモコン１２をＯＳＤリモコンとして表示する際、リモコン１２のポインタ移動ボタン及び決定ボタンを表示しなくても、ＯＳＤリモコンはリモコン１２と同様の機能を持つことができる。この場合、表示するボタンの数を少なくすることができるため、ＯＳＤリモコンを小型化でき、ＯＳＤリモコンにより視聴できなくなる映像領域を最小限に抑えることができる。
【００４６】
また、本実施の形態では映像表示装置はＯＳＤリモコンを消去した後、ＯＳＤリモコン制御ボタン１１１を押下すると、再びＯＳＤリモコンを表示することも可能である。この場合、視聴していた番組が終了しチャンネルを変更したいときなど、再びリモコンでの入力が必要になったときにＯＳＤリモコン制御ボタン１１１を押下するだけで、表示することができるのでユーザーの利便性が向上する。
【００４７】
また、本実施の形態のリモコン１２に太陽電池を備え付けることも可能である。本実施の形態ではリモコン１２のリモコンサーチ信号受信手段１２０が常に受信可能としておく必要があるため、リモコン１２のバッテリーの消耗が早くなることが考えられるが、太陽電池を備えることでバッテリーの消費を抑えることができる。
【００４８】
また、本実施の形態のリモコンサーチ信号及びリモコン応答信号などの無線信号について、その搬送波の周波数帯は、赤外線、可視光など、いずれの周波数帯でも可能である。また、無線ＬＡＮ、無線ＵＳＢまたは無線Ｂｌｕｅｔｏｏｔｈ（登録商標）など様々な無線システムが考えられるが、特に、通常においては映像表示装置１０及びリモコン１２が赤外線送受信手段を備えていることを鑑みると、赤外線を用いれば、通常のリモコン信号の送受信手段とリモコンサーチ信号送信手段１０９、リモコン応答信号受信手段１１０、リモコンサーチ信号受信手段１２０及びリモコン応答信号送信手段１２１を兼用でき、部品点数を減らすことができるので、コストや小型化の面から有用である。
【００４９】
また、本実施の形態では、リモコンサーチ信号送信手段１０９、リモコン応答信号受信手段１１０、リモコンサーチ信号受信手段１２０、及びリモコン応答信号１０２はそれぞれ１つずつとして記載しているが、いずれも複数の箇所に設置することも可能である。例えば、リモコン１２に備えられているリモコンサーチ信号受信手段１２０をリモコン１２のすべての面に対して設置した場合、リモコン１２はリモコンサーチ信号がいずれの方向から伝播してきても受信することができる。したがって、リモコン１２が第１のリモコン送受信手段１０６が送信する無線信号の範囲内に有る場合に、リモコンサーチ信号受信手段１２０がリモコンサーチ信号を受信する場合の受信確率を上げることができる。
【００５０】
また、本実施の形態ではリモコンサーチ信号送信手段１０９とリモコン応答信号受信手段１１０とはそれぞれ別の構成要素となっているが、実装する際は一つの無線信号送受信手段として両方の機能を持たせても良い。リモコンサーチ信号受信手段１２０とリモコン応答信号送信手段１２１に関しても同様に一つの構成としても良い。
【００５１】
また、本実施の形態では、選択手段として、カーソルを用いているが本発明はそれに限るものではなく、ＯＳＤリモコンのボタンのうちの一つを選択できるものであればどのような様態の物でも良い。例えば、ボタンを選択するための矢印などの図形や点などのポインタであっても良いし、ある一つのボタンを着色するものであっても良いし、ある一つのボタンを点滅するものであっても良い。
【００５２】
また、本実施の形態では、ＯＳＤリモコンは映像表示装置１０のリモコン１２の形状を表示しているがそれに限るのもではなく、他の形状をしたリモコンであっても良い。
【００５３】
また、本実施の形態では、ＯＳＤリモコンはリモコンの形状となっているがそれに限るものではなく、たとえば図６に示すようにリモコンの各ボタンの位置を変えても良いし、対応する選択項目をマトリクス状に配置しても良い。ＯＳＤリモコンの形状をリモコン１２の形状に限定しないことでＯＳＤリモコンの画像領域を縮小することができ、映像への影響を軽減する。
【００５４】
また、本実施の形態では、ＣＰＵ１０４が、リモコン応答信号受信手段１１０のリモコン応答信号の受信を検知するとリモコンサーチ信号送信手段１０９が送信しているリモコンサーチ信号を停止する構成にすることも可能である。かかる構成によると、第１のリモコン送受信手段１０６がリモコン応答信号を受信した時点で、それ以降のリモコンサーチ信号の送信を削減することができ、消費電力を削減することができる。
【００５５】
（実施の形態２）
図７は本発明の実施の形態２における映像表示装置の構成図である。図７において、図１と同じ構成要素については同じ符号を用い、説明を省略する。
【００５６】
図７において、リモコン１２は図１の構成に加えてリモコン制御手段１２２に制御される報知手段２２３を備える。
【００５７】
報知手段２２３は、リモコンの位置をユーザーに報知するための報知手段であり、例えば音を鳴らす音発生手段、リモコンを振動させる振動手段や、ＬＥＤなどを発光させる発光手段などがある。リモコン制御手段１２２は、リモコンサーチ信号受信手段１２０がリモコンサーチ信号を受信したことを検知すると報知手段２２３に報知手段を稼動するように制御する。その後、一定時間が経過するとリモコン制御手段１２２は報知手段２２３の稼動を停止させる。
【００５８】
かかる構成によれば、報知手段２２３はユーザーにリモコン１２の位置を報知するので、映像表示装置１０の周囲にリモコン１２があればユーザーはリモコン１２を容易に見つけることができる。
【００５９】
したがって、映像表示装置１０の周囲にリモコンがない場合だけでなく、映像表示装置１０の周囲にリモコン１２があるのにもかかわらずユーザーが見つけられない場合にも、リモコン１２がユーザーにリモコン位置を報知するので、ユーザーはリモコンを容易に見つけることができ、早急に番組視聴を行いたい場合に番組を見逃すことなくすぐに視聴することができる。
【００６０】
なお、報知手段２２３が稼動しているときにユーザーがリモコン１２を操作すると、リモコン制御手段１２２がユーザーのリモコン操作を検知して報知手段２２３を停止する構成とすることも可能である。ユーザーがリモコン操作をしている場合はユーザーがリモコン位置を認識していることは明らかであり、ユーザーがリモコンを操作すると自動的に報知手段２２３を停止することにより、ユーザーが報知手段２２３を停止させる手間を削減することができる。
【００６１】
（実施の形態３）
図８は本発明の実施の形態３における映像表示装置の構成図である。図８において、図１または図７と同じ構成要素については同じ符号を用い、説明を省略する。
【００６２】
図８において、映像表示装置１０は図８の構成に加えてさらにＥＰＧ作成手段３１３を備える。
【００６３】
ＥＰＧ作成手段３１３はチューナ・復調手段１０１から出力されるＴＳからＥＰＧデータを受信してＥＰＧ映像信号を作成し、ＯＳＤ合成手段１０７に入力する。
【００６４】
次に、本発明の実施の形態３における映像表示装置１０の動作について図９のフローチャートを用いて説明する。
【００６５】
映像表示装置１０の周囲にリモコン１２が存在し、映像表示装置１０とリモコン１２が互いに無線信号の送受信できる場合は実施の形態１と同様であるので説明を省略する。
【００６６】
次に、映像表示装置１０の周囲にリモコン１２が存在しない場合など、映像表示装置１０とリモコン１２がお互いに無線信号の送受信できない場合について説明する。電源入力ボタン１１２を押してから、リモコンサーチ信号送信手段１０９がリモコンサーチ信号を送信するまでの動作は実施の形態１と同じであるので説明を省略する。リモコンサーチ信号送信手段１０９からはリモコンサーチ信号が無線送信される（Ｓ２０３）が、リモコンサーチ信号送信手段１０９から送信される無線信号の受信範囲内にはリモコン１２が存在していないので、リモコン応答信号受信手段１１０はリモコン応答信号を受信しない。リモコン送受信手段１０６は所定の時間が経過（Ｓ２０４）してもリモコン応答信号を受信しないので（Ｓ２０５）、ＣＰＵ１０４はＯＳＤ生成手段１０６にＯＳＤリモコンを作成するように命令する制御信号を入力する。ＯＳＤ生成手段１０６ではＯＳＤリモコンが作成され（Ｓ２０９）、ＯＳＤリモコン合成手段１０７に入力される。ＯＳＤ合成手段１０７では、ＥＰＧ作成手段１１６で作成されたＥＰＧとＯＳＤリモコンが合成され（Ｓ２１０）、表示手段１０８へ出力する。すると、図１０のように表示手段１０７にはＯＳＤリモコンとＥＰＧを合成した映像が表示される（Ｓ２０７、Ｓ２０８）。
【００６７】
次に、ＯＳＤリモコンとＥＰＧを表示させた後の操作方法について説明する。
【００６８】
まず、ＯＳＤリモコン及びＥＰＧが表示手段１０８に表示されると、ＥＰＧ上にはＥＰＧを選択する選択手段が表示され、ＯＳＤリモコン制御キーで選択手段を操作する。本実施の形態でも実施の形態１と同様に、選択手段をカーソル、ＯＳＤリモコン制御キーを上下左右ボタン及び決定ボタンとして説明する。ユーザー上下左右ボタンで選択したい番組上にカーソルを移動させた後、決定ボタンを押下して番組を選択する。決定ボタンの押下により番組が選択されると、カーソルはＯＳＤリモコンに移動する。ここで、ＯＳＤリモコンは、番組表示ボタン、番組予約ボタン、予約確認ボタン及びＥＰＧ再選択ボタンを備えている。ユーザーが番組表示ボタンを選択すると映像表示装置１０の表示手段１０８に表示される映像はＥＰＧで選択した番組の映像に切り換る。ユーザーが番組予約ボタンを選択すると、選択した番組の録画予約がされる。ユーザーが予約確認ボタンを選択すると、ユーザーが記憶させた録画予約情報が表示される。また、ユーザーがＥＰＧ再選択ボタンを選択すると、カーソルがＥＰＧに戻り、ユーザーは再び番組を選択できる。
【００６９】
かかる構成によれば、リモコン１２が映像表示装置１０の周囲に有る場合は通常の映像信号を表示する一方で、リモコン１２が映像表示装置１０の周囲にない場合はＥＰＧとＯＳＤリモコンを表示する。
【００７０】
したがって、映像表示装置１０の受信範囲内にリモコン１２がない場合には、すぐさまＥＰＧを表示し、表示されたＥＰＧを用いて容易に番組を選択することができるので、ユーザーは早急に番組視聴を行いたい場合に番組を見逃すことなくすぐに視聴することができる。
【００７１】
なお、本実施の形態のＯＳＤリモコンに搭載されている番組表示ボタン、番組予約ボタン、予約確認ボタン及びＥＰＧ再選択ボタンは各々の形状や色を変えておくことにより違いを視覚的に明確にすることでユーザーの誤操作を防止することができる。具体的には例えば、番組表示ボタンを緑色、番組予約ボタンを赤色、予約確認ボタンを黄色、ＥＰＧ再選択ボタンを青色にしておけば誤操作を防止することができる。
【００７２】
また、本実施の形態ではＥＰＧを用いてチャンネル選局をすることができるのでＯＳＤリモコンではチャンネルボタンを表示させなくても良い。この場合ＯＳＤリモコンを小型化できるので、ＯＳＤリモコンの表示により映像が見えなくなる領域を小さくすることができる。
【００７３】
また、本実施の形態ではＥＰＧデータをチューナ・復調手段１０１で作成されるＴＳから取得しているが、他の手段でＥＰＧデータを取得しても良い。例えば、映像表示装置をインターネットやイントラネットに接続することにより、所定のサーバーから受信しても良い。
【００７４】
また、実施の形態１と同様に、選択手段はカーソルに限るものではなく、ＯＳＤリモコン制御ボタン１１１は上下左右ボタン及び決定ボタンに限るものではないことは言うまでも無い。
【００７５】
（実施の形態４）
図１１は本発明の実施の形態４における映像表示装置の構成図である。図１１において、図１、図７及び図８と同じ構成要素については同じ符号を用い、説明を省略する。図１１において、映像表示装置１０は図９の構成に加えてさらに時計手段４１４を備える。時計手段４１４は、時刻を測定しており、ＣＰＵ１０４の制御に基づいて時刻データを出力する時計手段である。また、メモリ１０５はさらに録画予約情報を記憶する。
【００７６】
次に本実施の形態の動作について図１２のフローチャートを用いて説明する。
【００７７】
映像表示装置１０の周囲にリモコン１２が存在し、映像表示装置１０とリモコン１２がお互いに無線信号の送受信をできる場合の動作は実施の形態１と同様であるため説明を省略する。
【００７８】
映像表示装置１０の周囲にリモコン１２が存在しない場合など、映像表示装置１０とリモコン１２がお互いに無線信号の送受信できない場合について説明する。電源入力ボタン１１２を押してから、リモコンサーチ信号送信手段１０９がリモコンサーチ信号を送信するまでの動作は実施の形態１と同様であるので省略する。リモコンサーチ信号送信手段１０９からはリモコンサーチ信号が無線送信される（Ｓ３０３）。しかし、リモコン応答信号受信手段１１０が所定の時間が経過しても（Ｓ３０４）リモコン応答信号を受信しない（Ｓ３０５）ので、ＣＰＵ１０４はＯＳＤ生成手段１０６にＯＳＤリモコンを生成するように命令し、ＯＳＤ生成手段１０６はＯＳＤリモコンを生成する（Ｓ３０９）。一方で、ＣＰＵ１０４は時計手段４１４にアクセスして時刻を確認し、その後メモリ１０５にアクセスして確認した時刻に、録画予約があるか否かを確認する（Ｓ３１０）。電源オン時の時刻に放送している番組の録画予約が有る場合は、ＯＳＤ合成手段１０７は録画対象となっている映像とＯＳＤリモコンを含むＯＳＤとを合成する。（Ｓ３１１）。すると表示手段１０８には録画対象となっている映像とＯＳＤリモコンが表示される（Ｓ３０７，Ｓ３０８）。一方、電源オン時の時刻に放送している番組の録画予約が無い場合は、ＯＳＤ合成手段１０７はＥＰＧ作成手段１１６から出力されるＥＰＧ映像信号とＯＳＤリモコンを含むＯＳＤとを合成する（Ｓ３１２）。すると表示手段１０８にはＥＰＧとＯＳＤリモコンが表示される（Ｓ３０７，Ｓ３０８）。ＥＰＧ表示後の動作や操作方法は実施の形態３と同様であるので説明は省略する。
【００７９】
以上の動作によると、映像表示装置１０の周囲にリモコン１２がない場合にも表示手段１０８に表示されたＯＳＤリモコンを用いてすぐに操作ができることに加えて、電源をオンにした時刻に録画予約が有る場合は当該録画番組を早急に番組視聴できるので、番組を見逃すことなくすぐに視聴することができる。
【００８０】
なお、本実施の形態では時計手段４１４は映像表示装置１０の内部の構成としたがそれに限るものではなく、映像表示装置１０に接続されている外部機器の時計手段を用いることも可能である。一般に、ＤＶＤレコーダーやＨＤＤレコーダーといった映像記憶機器は、通常は録画の開始時刻や終了時刻設定するために時計手段を備えている。映像表示装置１０に接続されたこれら外部機器の時計手段を利用することで、映像表示装置の時計手段をなくし部品点数を減少することができる。また、ネットワークインターフェイスを通じてインターネットやイントラネットに接続することにより、ＮＴＰサーバーなどからネットワークを通じて時刻情報を得ても良い。
【００８１】
また、本実施の形態では録画予約情報をメモリ１０５に記憶するとしたが限るものではなく、映像表示装置１０に接続された外部機器に備えられた記憶手段に記憶されている録画予約情報を用いても良い。一般に、ＤＶＤレコーダーやＨＤＤレコーダーといった映像記憶機器は通常では録画予約情報を記憶する記憶手段を備えている。映像表示装置１０に接続されたこれら外部機器の記憶手段に記憶された録画予約情報を利用することで映像表示装置１０のメモリ１０５の記憶容量を減少することができる。また、外部機器はネットワークインターフェイスを通じてインターネットやイントラネットで接続されるでも良く、特定のサーバーから録画予約情報を得ることも可能である。
【００８２】
また、本実施の形態では録画予約記憶手段４１８に録画予約情報が無い場合には表示手段１０８にＥＰＧを表示するとしたが、ユーザーの過去の視聴履歴や録画履歴の情報に基づいて、ユーザーの好みの番組を推定して、現在放送されている番組のうち最もユーザーの好みに合う番組を表示しても良い。
【００８３】
（実施の形態５）
本発明の実施の形態５における映像表示装置について説明する。
【００８４】
本発明の実施の形態５における映像表示装置の構成図は図１と同様であるが、メモリ１０５がリモコン１２のリモコンコードだけではなく、その他複数のリモコンのリモコンコードを記憶している点が図１と異なる。
【００８５】
また、図１３は本発明の実施の形態５における映像表示装置の概略図である。図１４において、リモコン５２は映像表示装置１０のリモコン１２とは異なるリモコン（例えば映像表示装置と接続しているＤＶＤ用リモコンや、複合リモコンなど）であり、カーソル移動ボタン（上下左右ボタンなど）や決定ボタンを備えている。本実施の形態では、リモコン５２はＤＶＤ用リモコンで有る場合を例にして説明する。本実施の形態ではメモリ１０５はリモコン５２のリモコンコードのうち少なくともカーソル移動ボタン（上下左右ボタン）及び決定ボタンのリモコンコードを記憶している。
【００８６】
次に、本発明の実施の形態５における映像表示装置１０の動作について、映像表示装置１０の表示手段１０８にリモコンが表示されるまでの動作は実施の形態１と同様であるので省略する。以下、ＯＳＤリモコンが表示手段１０８に表示された後の動作について説明する。
【００８７】
ユーザーはＯＳＤリモコン制御ボタン１１１を用いる代わりに、ＤＶＤリモコン５２のカーソル移動ボタン及び決定ボタンを用いて、ＯＳＤリモコンを操作することができる。
【００８８】
以上の構成によると、リモコン１２が映像表示装置１０の周りに無いがリモコン５２が有る場合に、自動的にＯＳＤリモコンを表示した後リモコン５２で映像表示装置１０を制御できる。したがって、ユーザーが早急に番組視聴を行いたい場合に番組を見逃すことなくすぐに視聴することができることに加えて、ＤＶＤ用リモコンでＯＳＤリモコンを遠隔操作できるため、操作性を向上することができる。また、予め記憶させておく他のリモコンのリモコンコードもカーソル移動ボタン及び決定ボタンだけでよいので、記憶するリモコンコード数が少なくメモリに対する負担を軽減することができる。
【００８９】
なお、本実施の形態ではリモコン５２としてＤＶＤ用リモコンを用いたがそれに限るのもではなく、リモコンコードを重畳した無線信号を送信できるものであればよい。例えばＤＶＤと映像表示装置の双方を操作できる複合リモコンなど他のリモコンでも良いし、携帯電話の赤外線送受信手段などを用いても良い。
【産業上の利用可能性】
【００９０】
本発明にかかる映像表示装置は、早急に番組視聴を行うことができるので、ＯＳＤリモコンを表示する映像表示装置として有用である。
【図面の簡単な説明】
【００９１】
【図１】本発明の実施の形態１における映像表示装置の構成図
【図２】本発明の実施の形態１における映像表示装置の動作を表すフローチャート
【図３】本発明の実施の形態１においてＯＳＤリモコンを表示した映像表示装置の概略図
【図４】本発明の実施の形態１においてＯＳＤリモコン消去ボタンを備えたＯＳＤリモコンを表示した映像表示装置の概略図
【図５】本発明の実施の形態１においてカーソル移動ボタン及び決定ボタンを消去したＯＳＤリモコンを表示した映像表示装置の概略図
【図６】本発明の実施の形態１においてリモコンと形状の異なるＯＳＤリモコンを表示した映像表示装置の概略図
【図７】本発明の実施の形態２における映像表示装置の構成図
【図８】本発明の実施の形態３における映像表示装置の構成図
【図９】本発明の実施の形態１における映像表示装置の動作を表すフローチャート
【図１０】本発明の実施の形態３においてＯＳＤリモコンを表示した映像表示装置の概略図
【図１１】本発明の実施の形態４における映像表示装置の構成図
【図１２】本発明の実施の形態４における映像表示装置の動作を表すフローチャート
【図１３】本発明の実施の形態５における映像表示装置の概略図
【図１４】従来の発明における映像表示装置の構成図
【符号の説明】
【００９２】
１０    映像表示装置
１２    リモコン
５２    リモコン
１００    アンテナ
１０１    チューナ・復調手段
１０２    ＴＳデコーダ
１０３    ＭＰＥＧデコーダ
１０４    ＣＰＵ
１０５    メモリ
１０６    ＯＳＤ生成手段
１０７    ＯＳＤ合成手段
１０８    表示手段
１０９    リモコンサーチ信号送信手段
１１０    リモコン応答信号受信手段
１１１    ＯＳＤリモコン制御ボタン
１１２    電源入力ボタン
１２０    リモコンサーチ信号受信手段
１２１    リモコン応答信号送信手段
１２２    リモコン制御手段
１３０    ＯＳＤリモコンオフボタン
２２３    報知手段
３１３    ＥＰＧ作成手段
４１４    時計手段
【図１】
2007295155.tif 000003
【図２】
2007295155.tif 000004
【図３】
2007295155.tif 000005
【図４】
2007295155.tif 000006
【図５】
2007295155.tif 000007
【図６】
2007295155.tif 000008
【図７】
2007295155.tif 000009
【図８】
2007295155.tif 000010
【図９】
2007295155.tif 000011
【図１０】
2007295155.tif 000012
【図１１】
2007295155.tif 000013
【図１２】
2007295155.tif 000014
【図１３】
2007295155.tif 000015
【図１４】
2007295155.tif 000016